(57)【要約】【課題】スリムで軽い感じのする軽快で、より軽量化が可能な武道用具を提供する。【解決手段】競技者が相手の身体に向けて打撃を繰り出す武道の試合あるいは練習の際に競技者の身に装着されると共に、打撃に伴う衝撃を受ける箇所に衝撃緩和材３を充填した用具本体１を備える。衝撃緩和材３が、衝撃吸収能力に優れた高衝撃吸収性高密度発泡材３Ａを層状に含ませている武道用具。【選択図】        図２
2004321209.tif 000002
【特許請求の範囲】
【請求項１】
競技者が相手の身体に向けて打撃を繰り出す武道の試合あるいは練習の際に競技者の身に装着されると共に、前記打撃に伴う衝撃を受ける箇所に衝撃緩和材を充填した用具本体を備えた武道用具であって、前記衝撃緩和材が、衝撃吸収能力に優れた高衝撃吸収性高密度発泡材を層状に含ませていることを特徴とする武道用具。
【請求項２】
前記衝撃緩和材が、打撃に伴う衝撃を先に受ける側の面（衝撃先受面）に高弾性発泡材を配置し、その裏面側に前記高衝撃吸収性高密度発泡材を層状に重ねている請求項１記載の武道用具。
【請求項３】
前記衝撃緩和材が、打撃に伴う衝撃を先に受ける側の面（衝撃先受面）に前記高衝撃吸収性高密度発泡材を配置し、その裏面側に高弾性発泡材を層状に重ねている請求項１記載の武道用具。
【請求項４】
前記高衝撃吸収性高密度発泡材が、ボール重量２８６ｇ，落下高さ５０．８ｃｍの条件でボールリバウンド率１５％以下となる衝撃吸収能力を有する請求項１〜３のいずれか１に記載の武道用具。
【請求項５】
武道用具が、競技者の頭に被せられて着用されるギヤ本体を用具本体として備えているヘッドギアであって、着用者の両眼部の部分を露出させるための開口部が前記ギヤ本体の正面に形成されていると共に、衝撃緩和材がギヤ本体の正面および側面に充填されている請求項１〜４のいずれか１に記載の武道用具。
【請求項６】
前記ギヤ本体の開口部の周りでは、前記衝撃緩和材における高衝撃吸収性高密度発泡材と高弾性発泡材との間に薄手の剛性材が積層配置されている請求項５に記載の武道用具。
【請求項７】
武道用具が、競技相手としてのトレーナの手に嵌められて着用されるミット本体を用具本体として備えているパンチングミットであって、ミット本体の表側が打撃の受け部になっている一方、ミット本体の裏側にトレーナの手が嵌まる手袋部が付設されていて、衝撃緩和材がミット本体の略全体にわたって充填されている請求項１〜４のいずれか１に記載の武道用具。
【請求項８】
武道用具が、競技者の手に嵌められて着用されるグローブ本体を用具本体として備えているグローブであって、グローブ本体の全体形状が競技者の手が嵌まる手袋状に整えられ、グローブ本体における手の甲の側に衝撃緩和材が充填されている請求項１〜４のいずれか１に記載の武道用具。
【発明の詳細な説明】
【０００１】
【発明の属する技術分野】
本発明は武道用具に関し、詳しくは、空手やボクシング等のように、競技者が相手の身体に向けて打撃を繰り出す武道に使用される武道用具に関し、武道の試合あるいは練習の際に競技者の身に着けられると共に前記打撃に伴う衝撃を受ける箇所に衝撃緩和材を充填した用具本体を備えた武道用具に関する。
【０００２】
【従来の技術】
近年、空手やボクシングの試合や練習の際、競技者の頭部を保護する為に、競技者が頭に被って着用するギヤ本体（用具本体）を備えているヘッドギヤ（武道用具）が用いられる。従来のヘッドギヤは、着用者の両眼部から口部にかけての部分を露出させるための開口部がギヤ本体の正面に形成されていると共に、衝撃緩和材がギヤ本体の正面および側面に充填されていて、装着者の顔面ならびに左右の両側面をスポンジ類の衝撃緩和材で包むことにより、打撃による衝撃から守る構成としている。このヘッドギヤを使う場合、ギヤ本体を後頭部に位置する端部を紐で縛って頭に装着する。ヘッドギヤを着けていれば、相手が繰り出す強打を頭部に受けたような時でも、強打に伴う衝撃はギヤ本体に充填されている衝撃緩和材で吸収されて和らげられるので、損傷は最低限に抑えられると同時に、強打を繰り出した相手方競技者も拳や手首を痛めずに済み、安全に試合や練習が行える。
【０００３】
従来のヘッドギヤの場合、従来の衝撃緩和材の衝撃緩和機能はそれほど高くないので、ギヤ本体の正面上部および鼻部両側の箇所のスポンジ類の厚みを他の箇所よりかなり厚くして衝撃緩和機能を高めることで、競技者がより安全に試合や練習を行うことができるように図られている（例えば、非特許文献１）。
【０００４】
【非特許文献１】
株式会社ウイニング発行  ２００１−２００２  ＣＡＴＡＬＯＧ
【発明が解決しようとする課題】
しかしながら、上記従来のヘッドギヤの場合、厚ぼったくて重く感じられ、軽快なヘッドギヤとは言い難いという問題がある。ギヤ本体の正面上部および鼻部両側の箇所では、スポンジ類の厚みが他の箇所よりかなり厚くなって大きく突出して嵩高く映る結果、競技者は厚ぼったくて重いヘッドギヤであると感じる。特に、競技者が成人に達していない青少年、あるいは体力が十分でない場合には、用具の重量は競技を行う上で大きな負担となり、競技の楽しみを減殺させるものとなっている。
【０００５】
そこで、本発明は上記従来技術の有する実情に鑑みてなされたものであり、その課題は、スリムで軽い感じのする軽快で、より軽量化が可能な武道用具を提供することにある。
【０００６】
【課題を解決するための手段】
上記目的は各請求項記載の発明により達成される。すなわち、本発明は、競技者が相手の身体に向けて打撃を繰り出す武道の試合あるいは練習の際に競技者の身に装着されると共に、前記打撃に伴う衝撃を受ける箇所に衝撃緩和材を充填した用具本体を備えた武道用具であって、前記衝撃緩和材が、衝撃吸収能力に優れた高衝撃吸収性高密度発泡材を層状に含ませていることを特徴とする。
【０００７】
この武道用具の場合、競技者は用具本体を身に着けて試合あるいは練習を行っている間に、時として打撃に伴う衝撃を用具本体で受ける。しかし、用具本体が受けた打撃に伴う衝撃は、衝撃緩和材によって大半が吸収されて弱められるので、試合や練習を安全に行うことができる。
【０００８】
そして、本発明の武道用具によれば、用具本体の衝撃緩和材を衝撃吸収能力が極めて高い高密度発泡材（高衝撃吸収性高密度発泡材）が層状に含まれる構成とし、高衝撃吸収性高密度発泡材が全面にわたって衝撃を十分に吸収する。その結果、本発明の武道用具によれば、衝撃緩和材を分厚くして用具本体を嵩高いものにしなくても、打撃に伴う衝撃に対して必要な衝撃緩和機能を確実に発揮することができる。よって、本発明の武道用具は、スリムで軽量感のある軽快なものとなる。
【０００９】
本発明の好ましい実施形態として、前記衝撃緩和材が、打撃に伴う衝撃を先に受ける側の面（衝撃先受面）に高弾性発泡材を配置し、その裏面側に前記高衝撃吸収性高密度発泡材を層状に重ねている形態があげられる。
【００１０】
この実施形態によれば、高衝撃吸収性高密度発泡材における打撃に伴う衝撃を先に受ける側の面（衝撃先受面）に、重ねて層状に配置した高弾性発泡材により、衝撃をしっかり受け止めながら、高衝撃吸収性高密度発泡材で衝撃を十分に吸収する。すなわち、高弾性発泡材で衝撃を確実に受け止めることにより、打撃に伴う衝撃が局所的（ポイント状）ではなく広域的（面状）に伝わる結果、高衝撃吸収性高密度発泡材がいわばポイントではなく、面で衝撃を十分に吸収することができる。したがって、本発明の武道用具を、よりスリムでより軽い感じのものとすることができる。
【００１１】
本発明の好ましい実施形態として、前記衝撃緩和材が、打撃に伴う衝撃を先に受ける側の面（衝撃先受面）に前記高衝撃吸収性高密度発泡材を配置し、その裏面側に高弾性発泡材を層状に重ねている形態があげられる。
【００１２】
この実施形態によれば、強い衝撃を受けた場合にも衝撃を十分に吸収し、例えば、この構成をパンチミットに用いた場合に、トレーナーの手に与える衝撃を反発して、高密度発泡材と高弾性発泡材が協働して、強打による衝撃をも十分に吸収して弱めることができ、トレーナーを障害から保護できることになる。
【００１３】
本発明の他の好ましい実施形態として、高衝撃吸収性高密度発泡材はボール重量２８６ｇ，落下高さ５０．８ｃｍの条件でボールリバウンド率１５％以下となる衝撃吸収能力を有する形態が挙げられる。
【００１４】
この実施形態によれば、高衝撃吸収性高密度発泡材の衝撃吸収能力が十分であるので、本発明の武道用具を、十分にスリムで十分に軽い感じのものとすることができる。高衝撃吸収性高密度発泡材は、ボール重量２８６ｇ，落下高さ５０．８ｃｍの条件でボールリバウンド率１０％以下となる衝撃吸収能力を有することが一層好ましい。
【００１５】
本発明の他の好ましい実施形態として、高衝撃吸収性高密度発泡材は厚み２０〜４５ｍｍであり、高弾性発泡材は厚み５〜２０ｍｍである形態が挙げられる。
【００１６】
この実施形態によれば、高衝撃吸収性高密度発泡材および高弾性発泡材の厚みが拳あるいは脚による打撃の衝撃を和らげるのに適した厚みであるので、競技者が拳あるいは脚でもって相手の身体に向けて打撃を繰り返す武道に好適な武道用具を提供できる。
【００１７】
高衝撃吸収性高密度発泡材は、高密度ウレタンフォームであることが好ましい。
【００１８】
高密度ウレタンフォームが極めて高い弾性率を有する材料であり、高衝撃吸収性高密度発泡材の厚みを減らしても、必要な衝撃緩和機能を衝撃緩和材に確実に発揮させられるので、よりスリムで軽量感のある超軽快な武道用具を提供することが可能となる。
【００１９】
前記高衝撃吸収性高密度発泡材の具体的な材料としては、ＮＡＳＡ開発メモリーフォーム（発売元：山光油業（株）など）が挙げられる。メモリーフォームは、従前のウレタンフォームが加圧に対して衝撃吸収率７０％程度の衝撃吸収能力であるのに対し、ボールリバウンド率５〜１０％（すなわち、衝撃吸収率９０〜９５％）という極めて高い衝撃吸収能力を示し、長期間使用しても復元性が衰えず、耐久性に富む高密度ウレタンフォームである。このメモリーフォームの主要性状を以下に示す。
【００２０】
（１）    密度  ０．０９６  ｇ／ｃｍ３    試験法ＡＳＴＭ  Ｄ−３５７５
（２）    ボールリバウンド率５〜１０％（ボール重量２８６ｇ  落下高さ５０．８ｃｍ）
（３）    圧縮〜歪    圧縮率２５％  ０．０５３〜０．１０５  ｋｇ／ｃｍ２    試験法ＡＳＴＭ  Ｄ−３５７４
圧縮〜歪  圧縮率５０％  ０．０７０〜０．１７６  ｋｇ／ｃｍ２  試験法ＡＳＴＭ  Ｄ−３５７４
（４）    圧縮永久歪  ０％  試験法ＡＳＴＭ  Ｄ−１５６４
（５）    引張り強度    ０．９８  〜２．３２ｋｇ／ｃｍ２  試験法ＡＳＴＭ  Ｄ−４１２
（６）    圧縮クリープ  ０％  ２ｐｓｉ  荷重１０００ｈｒｓ  室温
（７）    伸度      １２０〜２１０  ％  試験法ＡＳＴＭ  Ｄ−４１２
（８）    引裂き強度    ０．４６ｋｇ／  ｃｍ２    試験法ＡＳＴＭ  Ｄ−４１２
（９）    回復速度  ２〜４分  ２ｈｒ  ８０％圧縮
又、高弾性発泡材の具体的な材料としては、軟質スチレン系エラストマー架橋フォーム等のゴム弾性発泡材が挙げられる。この高弾性発泡材は、高衝撃吸収性高密度発泡材に比べて腰のある材料であり、衝撃吸収は高衝撃吸収性高密度発泡材が主として担うことから、高弾性発泡材は衝撃吸収率７０％程度の衝撃吸収能力のものでもよい。
【００２１】
本発明の他の好ましい実施形態として、武道用具が、競技者の頭に被せられて着用されるギヤ本体を用具本体として備えているヘッドギアであって、着用者の両眼部の部分を露出させるための開口部が前記ギヤ本体の正面に形成されていると共に、衝撃緩和材がギヤ本体の正面および側面に充填されている形態が挙げられる。
【００２２】
この実施形態によれば、競技者の頭部に加わる衝撃や打撃を繰り出した相手に跳ね返る衝撃がギヤ本体の衝撃緩和材で十分に緩和されるスリムで軽量感のある軽快なヘッドギアを提供できる。
【００２３】
上記の実施形態の場合のより好ましい実施形態として、ギヤ本体の開口部の周りでは、衝撃緩和材における高衝撃吸収性高密度発泡材と高弾性発泡材との間に薄手の剛性材が積層配置されている形態が挙げられる。
【００２４】
この実施形態によれば、薄手の剛性材で衝撃先受面の側の高弾性発泡材が補強されるので、より大きな打撃を受けても高弾性発泡材は持ちこたえ、打撃に伴う衝撃を広域的（面状）に伝える役割を果たす。
【００２５】
本発明の他の好ましい実施形態として、武道用具が、競技相手としてのトレーナの手に嵌められて着用されるミット本体を用具本体として備えているパンチングミットであって、ミット本体の表側が打撃の受け部になっている一方、ミット本体の裏側にトレーナの手が嵌まる手袋部が付設されていて、衝撃緩和材がミット本体の略全体にわたって充填されている形態が挙げられる。
【００２６】
この実施形態によれば、トレーナの手や肘および肩あるいはパンチを繰り出す競技者の拳に加わる衝撃が、ミット本体の衝撃緩和材で十分に和らげられるスリムで軽量感のある軽快なパンチミットを提供できる。
【００２７】
本発明の他の好ましい実施形態として、武道用具が、競技者の手に嵌められて着用されるグローブ本体を用具本体として備えているグローブであって、グローブ本体の全体形状が競技者の手が嵌まる手袋状に整えられ、グローブ本体における手の甲の側に衝撃緩和材が充填されている形態が挙げられる。
【００２８】
この実施形態によれば、グローブによる強打を繰り出す競技者の拳あるいはグローブによる強打を受ける競技者に加わる衝撃がグローブ本体の衝撃緩和材で十分に和らげられるスリムで軽量感のある軽快なグローブを提供できる。
【００２９】
【発明の実施の形態】
本発明の実施の形態を、図面を参照して詳細に説明する。
【００３０】
〈第１実施形態〉
図１は、本発明の第１実施形態に係るスポーツ用のヘッドギア（武道用具）を示す斜視図である。図１のヘッドギヤは、競技者の頭に着用されるギヤ本体（用具本体）１を備えていて、ギヤ本体１の正面の略中央には着用者の両眼部の部分を露出させるための開口部２が左右に長く形成されていると共に、ギヤ本体１の中空体内には衝撃緩和材３が全域的に充填されており、ギヤ本体１を競技者の頭に被せて後頭部に位置する端を紐４で縛ることによって、ヘッドギヤが装着される構成とされている。
【００３１】
ギヤ本体１は、人工皮革材料あるいは天然皮革材料などの柔軟性のある表皮材１ａを用い、競技者の顔面および側面を包める形で滑らかに仕上げられていると共に、開口部２の周りは下部中央のちょうど鼻の上にあたる箇所を除いて前方に膨出するように膨出部１ｂが成形されている。このギヤ本体１の開口部２の周りの膨出部１ｂは、膨らんだ分だけ後述する高弾性発泡材が厚く充填されており、ギヤ本体１の表面が隆起した状態となる。この構成により、目や鼻の周囲を確実に保護可能になっている。
【００３２】
ギヤ本体１の略下半を占める頬ガード部分は、鼻筋の位置で左右に途切れて接続されていないので、ギヤ本体１の略下半の中央には上下に途切れ目が生じているものの、途切れ目は帯状ピース５を縫い付けて接続してあるので、頬ガード部分は途切れ目で開くことなく、鼻周りを確実に守れる構成としてある。さらに、ギヤ本体１の正面下端側は、競技者の口が覗くように側方から中央へ向かって徐々に斜め上方へ切れ上がってゆくように成形されている。また、ギヤ本体１の左右の各側方には、競技者の耳を守る耳環６を環状に突出させるようにして設けてある。
【００３３】
競技者がこのヘッドギヤを頭に装着した場合、眼はギヤ本体１の正面にある開口部２により十分な視界を有し、鼻はギヤ本体１の頬ガード部分の間に埋没して守られる。すなわち、相手方の競技者が繰り出す強打を競技者が受けた時は、強打に伴う衝撃が衝撃緩和材３で吸収されて和らげられるので、強打による負傷を避けることができると共に、強打を繰り出した競技相手も拳や手首を痛めずに済み、試合や練習を安全に行える。
【００３４】
次に、第１実施形態のヘッドギヤにおける構成上の特徴である衝撃緩和材３について、図面を参照しながら具体的に説明する。図２は、ギヤ本体１を開口部２の直上の位置で左右に破断した、ギヤ本体１の正面部分の内部構造を示す断面図、図３は衝撃緩和材３の層構造を示す説明図である。
【００３５】
第１実施形態のヘッドギヤは、図２に示すように、ギヤ本体１に充填する衝撃緩和材３を、衝撃吸収能力が極めて高い高密度発泡材（高衝撃吸収性高密度発泡材）３Ａが層状に含まれると共に、高衝撃吸収性高密度発泡材（以下、適宜「高密度発泡材」と略記）３Ａの打撃に伴う衝撃を先に受ける側の面（衝撃先受面）に、高弾性発泡材３Ｂが層状に重ねられた構成としている。高密度発泡材３Ａと高弾性発泡材３Ｂの間は、接着剤などで接着してある。なお、第１実施形態におけるギヤ本体１の場合、前述したように、開口部２の周りで衝撃緩和材３が厚く充填されているが、衝撃緩和材３が厚くなっている分だけ高弾性発泡材３Ｂを余分に充填してあり、重量増をできるだけ抑えるように構成してある。
【００３６】
衝撃緩和材３の場合、通常、衝撃が加わる個所では、図３に示すように、高密度発泡材３Ａは厚みｄ１が２０ｍｍ〜４５ｍｍの高密度ウレタンフォームであり、高弾性発泡材３Ｂは厚みｄ２が５ｍｍ〜２０ｍｍの軟質スチレン系エラストマー架橋フォームである。この場合、高密度発泡材３Ａや高弾性発泡材３Ｂの厚みが拳あるいは脚による打撃の衝撃を和らげるのに適する厚みであるため、第１実施形態のヘッドギヤは、ボクシングや空手あるいはテコンドー等のように、競技者が拳あるいは脚でもって、相手の身体に向けて打撃を繰り出す武道にも好適である。
【００３７】
高密度発泡材３Ａの具体的な高密度ウレタンフォームとしては、前掲のＮＡＳＡ開発メモリーフォームが挙げられ、高弾性発泡材３Ｂの具体的な軟質スチレン系エラストマー架橋フォームとしては、ピタフォーム（商品名。発売元：（株）第一化学）が挙げられる。
【００３８】
上記の構成とした衝撃緩和材３の場合、打撃による衝撃が先に加わる高弾性発泡材３Ｂは十分な腰があり、衝撃を受けても簡単にはひしゃげずに持ちこたえて、打撃による衝撃を素通りさせずに次層の高密度発泡材３Ａへは打撃に伴う衝撃が局所的ではなく広域的に伝達されて、高密度発泡材３Ａはいわばポイントではなく面で衝撃を確実に吸収するので、強打に伴う大きな衝撃でも十分に和らげることができる。よって、第１実施形態のヘッドギヤは、スリムで軽量感のある軽快なものとなる。加えて、第１実施形態の場合、高密度発泡材３Ａである高密度ウレタンフォームの衝撃吸収能力が非常に高いので、衝撃緩和材３の厚みを減らしても必要な衝撃緩和機能を衝撃緩和材３に確実に発揮させられる結果、よりスリムで軽量感のある軽快なヘッドギヤとなる。
【００３９】
【実施例】
第１実施形態のヘッドギヤに係る具体的な実施例を説明する。以下の実施例では、高密度発泡材３Ａとして厚みを約５ｍｍとしたグレードの異なる３種類のメモリフォーム３Ａ１〜３Ａ３を併用した。高弾性発泡材３Ｂとして、厚みを約５ｍｍとしたピタフォーム３Ｂ１を用いた。表皮材１ａには、人工皮革（商品名：ソフリナ）を用いた。
【００４０】
（ａ）メモリフォーム３Ａ１
（１）    密度  ０．０９６  ｇ／ｃｍ３  試験法ＡＳＴＭ  Ｄ−３５７５
（２）    ボールリバウンド率  ５％（ボール重量２８６  ｇ  落下高さ５０．８  ｃｍ  ）
（３）    圧縮〜歪    圧縮率２５％  ０．１４１  ｋｇ／ｃｍ２      試験法ＡＳＴＭ  Ｄ−３５７４
圧縮〜歪  圧縮率５０％  ０．１７６  ｋｇ／ｃｍ２    試験法ＡＳＴＭ  Ｄ−３５７４
（４）    圧縮永久歪  ０％  試験法ＡＳＴＭ  Ｄ−１５６４
（５）    引張り強度  ２．３２ｋｇ／ｃｍ２  試験法ＡＳＴＭ  Ｄ−４１２
（６）    圧縮クリープ  ０％  ２ｐｓｉ    荷重１０００ｈｒｓ  室温
（７）    伸度    １２０％  試験法ＡＳＴＭ  Ｄ−４１２
（８）    引裂き強度    ０．８１ｋｇ／  ｃｍ２    試験法ＡＳＴＭ  Ｄ−４１２
（９）    回復速度  ４分  ２ｈｒ  ８０％圧縮
（１０）  硬さ  固め（高弾性発泡材３Ｂはさらに固い）
（ｂ）メモリフォーム３Ａ２
（１）    密度０．０９６  ｇ／ｃｍ３    試験法ＡＳＴＭ  Ｄ−３５７５
（２）    ボールリバウンド率  １０％（ボール重量２８６  ｇ  落下高さ５０．８  ｃｍ  ）
（３）    圧縮〜歪    圧縮率２５％  ０．１０５  ｋｇ／ｃｍ２      試験法ＡＳＴＭ  Ｄ−３５７４
圧縮〜歪  圧縮率５０％  ０．１３４  ｋｇ／ｃｍ２    試験法ＡＳＴＭ  Ｄ−３５７４
（４）    圧縮永久歪  ０％  試験法ＡＳＴＭ  Ｄ−１５６４
（５）    引張り強度  １．５４ｋｇ／ｃｍ２  試験法ＡＳＴＭ  Ｄ−４１２
（６）    圧縮クリープ  ０％  ２ｐｓｉ    荷重１０００ｈｒｓ  室温
（７）    伸度    １５５％  試験法ＡＳＴＭ  Ｄ−４１２
（８）    引裂き強度    ０．４６ｋｇ／  ｃｍ２    試験法ＡＳＴＭ  Ｄ−４１２
（９）    回復速度  ３分  ２ｈｒ  ８０％圧縮
（１０）  硬さ  やや柔らかい。
【００４１】
（ｃ）メモリフォーム３Ａ３
（１）    密度  ０．０９６  ｇ／ｃｍ３    試験法ＡＳＴＭ  Ｄ−３５７５
（２）    ボールリバウンド率  １０％（ボール重量２８６  ｇ  落下高さ５０．８  ｃｍ  ）
（３）    圧縮〜歪    圧縮率２５％  ０．０５３  ｋｇ／ｃｍ２      試験法ＡＳＴＭ  Ｄ−３５７４
圧縮〜歪  圧縮率５０％  ０．０７０  ｋｇ／ｃｍ２    試験法ＡＳＴＭ  Ｄ−３５７４
（４）    圧縮永久歪  ０％  試験法ＡＳＴＭ  Ｄ−１５６４
（５）    引張り強度  １．１９ｋｇ／ｃｍ２  試験法ＡＳＴＭ  Ｄ−４１２
（６）    圧縮クリープ  ０％  ２ｐｓｉ    荷重１０００ｈｒｓ  室温
（７）    伸度    １７０％  試験法ＡＳＴＭ  Ｄ−４１２
（８）    引裂き強度    ０．３２ｋｇ／  ｃｍ２    試験法ＡＳＴＭ  Ｄ−４１２
（９）    回復速度  ２分  ２ｈｒ  ８０％圧縮
（１０）  硬さ  柔らかい
（ｄ）ピタフォーム３Ｂ１
（１）    見掛け密度  ０．０８８ｇ／ｃｍ３    試験法ＪＩＳ  Ｋ  ６７６７  試験片ＪＩＳ  Ｂ  形
（２）    引張強さ  １２０Ｎ／ｃｍ２  試験法ＪＩＳ  Ｋ  ６７６７付属書Ａ    試験片ＪＩＳ  １号形
（３）    伸び      ２１０％    試験法ＪＩＳ  Ｋ  ６７６７付属書Ａ    試験片ＪＩＳ  １号形
（４）    引裂強さ  ２１Ｎ／ｃｍ        試験法ＪＩＳ  Ｋ  ６７６７  試験片ＪＩＳ  Ｂ  形
（５）    圧縮永久ひずみ率  ４．４  ％試験法ＪＩＳ  Ｋ  ６７６７付属書Ａ  試験片ＪＩＳ  １号形
（６）    圧縮硬さ    ２５％圧縮  ２．８Ｎ／ｃｍ２試験法ＪＩＳ  Ｋ  ６７６７  Ｂ  法
（７）    反ぱつ弾性  ２６％  試験法ＪＩＳ  Ｋ  ６７６７−１９９５  に準拠
（実施例ａ）
実施例ａのヘッドギヤは、図１５（ａ）に示すようにメモリフォーム３Ａ１，３Ａ２とピタフォーム３Ｂ１を積層した衝撃緩和材３を有する構成とした。
【００４２】
（実施例ｂ）
実施例ｂのヘッドギヤは、図１５（ｂ）に示すようにメモリフォーム３Ａ１〜３Ａ３とピタフォーム３Ｂ１を積層した衝撃緩和材３を有する構成とした。
【００４３】
（実施例ｃ）
実施例ｃのヘッドギヤは、図１５（ｃ）に示すようにメモリフォーム３Ａ１，３Ａ２とピタフォーム３Ｂ１を積層した衝撃緩和材３を有する。
【００４４】
実施例ａ〜ｃのヘッドギヤの衝撃緩和材３の衝撃緩和機能を確認する為に、メモリフォーム３Ａ１〜３Ａ３とピタフォーム３Ｂ１を、図１５（ａ）〜図１５（ｃ）にそれぞれ示す積層形態で重ねた長さ１３０ｍｍ・幅９０の積層試験片について、動的圧縮試験を行った。試験方法は、ＪＩＳ  Ｚ  ０２３５，試験機は垂直落下形とし、５．８ｋｇの重錘を６０ｃｍの高さから落下させた時の加速度・作用時間を測定した。測定は、５分の時間間隔で２回行った。また、比較例として、従来の市販のヘッドギヤ（ウイニング社製。商品名：ＦＧ−３０００）の厚み５０ｍｍの衝撃緩和材についても、同様の測定を行った。測定結果を、表１に示す。
【００４５】
【表１】
2004321209.tif 000003
表１より、実施例ａ〜ｃと比較例のデータを比較すれば、メモリフォーム３Ａ１〜３Ａ３を使用している実施例ａ〜ｃの衝撃緩和材３は、加速度が比較例の半分以下であり、衝撃緩和機能が向上したことが数値的に裏付けられていることが理解できる。しかも、各実施例は比較例に比べて、重量は軽く、厚みも薄いものである。
【００４６】
〈第２実施形態〉
図４は、本発明の第２実施形態に係るスポーツ用のヘッドギア（武道用具）を示す斜視図である。図４に示すヘッドギヤは、ギヤ本体７の頬ガード部分が鼻筋の位置で左右に途切れず接続されている上、図５に示すように、頬ガード部分が鼻筋の位置で最も前にせり出すように曲がっていると共に、図６に示すように、ギヤ本体７の開口部８の周りでは、衝撃緩和材９の内に薄手の剛性材１０を配置した構成とした他は、実質的に第１実施形態のヘッドギヤと同一のものであるので、相違点のみ説明する。図５〜図７において、図１〜図４と事実上同一の部材は、図１〜図４と同一の番号を付した。
【００４７】
第２実施形態の衝撃緩和材９の場合、剛性材１０を配置したところでは、図７に示すように、高密度発泡材９Ａと高弾性発泡材９Ｂとの間に積層配置した剛性材１０との３層構造であり、剛性材１０を配置していない箇所では、剛性材１０の分だけ衝撃緩和材９が一層少なくなっている。薄手の剛性材１０としては、アルミニウム等の軽金属製薄板や硬質プラスチックス製薄板などが挙げられる他、鋼製の線あるいは棒材、更には薄板材などの鉄製であってもよく、鋼製の線あるいは棒材の場合、３〜７ｍｍ径程度が好ましい。
【００４８】
第２実施形態のヘッドギヤによれば、薄手の剛性材１０で衝撃先受面の側の高弾性発泡材３Ｂが積層されているので、より大きな打撃を受けても高弾性発泡材３Ｂが受け止めて持ちこたえ、衝撃を十分に和らげる。
【００４９】
〈第３実施形態〉
図８は、本発明の第３実施形態に係るスポーツ用のパンチミット（武道用具）を示す平面図、図９は第３実施形態のパンチミットの側面図である。図８及び図９に示すパンチングミットは、競技あるいは練習相手としてのトレーナの手に嵌められて着用されるミット本体（用具本体）１１を備え、ミット本体１１の表側が打撃の受け部１２になっている一方、ミット本体１１の裏側にトレーナの手が嵌まる手袋部１３が付設されていて、衝撃緩和材１４をミット本体１１の略全体にわたって充填した構成としている。ミット本体１１は、人工皮革材料あるいは天然皮革材料などの柔軟性のある表皮材１１ａを用いて、競技者の手のひらよりずっと大きくて略楕円板の形で滑らかに仕上げられていると共に、ミット本体１１の表側の受け部１２の中央が凹む向きに湾曲するように成形されている。
【００５０】
トレーナが第３実施形態のパンチミットを使って練習を行う場合、トレーナが手をミット本体１１の裏側の手袋部１３に嵌めて装着し、ミット本体１１の表側を練習者の方へ向けておいて、練習者が繰り出す打撃をめり込ませる感じで受け止めるようにする。第３実施形態のパンチミットのように、ミット本体１１の受け部１２の中央が凹んでいると打撃を受け止め易く、例えばボクシングの場合には、アッパー等のパンチでも受け損なわずに練習ができる。
【００５１】
トレーナは、練習者が繰り出す強打をミット本体１１の受け部１２で受けても、強打に伴う衝撃が衝撃緩和材１４で吸収されて和らげられるので、トレーナの肘・肩の負担を軽減することができると共に、強打を繰り出す練習者も拳や手首を痛めずに済み、安全に練習することができる。
【００５２】
次に、第３実施形態のパンチミットにおける構成上の特徴である衝撃緩和材１４について、図面を参照しながら具体的に説明する。図１０は衝撃緩和材１４を表側から見て示す平面図、図１１は第３実施形態の衝撃緩和材の層構造を示す説明図であり、皮革や布製カバーなどの表皮材は省略してある。
【００５３】
図１０及び図１１（ａ）に示すように、衝撃緩和材１４を、高弾性発泡材１４Ｂと、この高弾性発泡材１４Ｂにおける衝撃先受面である表側面に重ねて配置した高密度発泡材１４Ａと、を有する二層構造の構成としている。衝撃緩和材１４の場合、高密度発泡材１４Ａに周囲を少し残して、高密度発泡材１４Ａの平面形状とは同じ形の凹みを形成し、この凹みに高密度発泡材１４Ａを嵌め込んでいる。高密度発泡材１４Ａと高弾性発泡材１４Ｂの間は、接着剤などで接着してある。
【００５４】
衝撃緩和材１４の場合、高密度発泡材１４Ａは厚みが１０〜２０ｍｍであり、高弾性発泡材１４Ｂは厚みが２０〜４５ｍｍである。この場合、高密度発泡材１４Ａおよび高弾性発泡材１４Ｂの厚みが、拳あるいは脚による打撃の衝撃を和らげるのに適しているので、この実施形態のパンチミットは、ボクシングや空手あるいはテコンドー等のように、競技者が拳あるいは脚でもって相手の身体に向けて打撃を繰り出す武道に好適である。また、高密度発泡材１４Ａは第１実施形態で挙げたメモリーフォームが例示され、高弾性発泡材１４Ｂとしては第１実施形態で挙げたピタフォームが例示される。
【００５５】
上記の構成とした衝撃緩和材１４の場合、受け面となる高密度発泡材１４Ａの衝撃を十分に吸収し、トレーナーの手に与える衝撃を反発して、高密度発泡材１４Ａと高弾性発泡材１４Ｂが協働して、強打による衝撃をも十分に吸収して弱めることができる。その結果、第３実施形態のパンチミットによれば、衝撃緩和材１４を分厚くしてミット本体１１を嵩高いものにしなくても、打撃に伴う衝撃に対して必要な衝撃緩和機能を確実に発揮することができる。よって、第３実施形態のパンチミットは、ミット本体１１がスリムで軽量感のある軽快なものとなる。
【００５６】
変形例として、図１１（ａ）に示したパンチミットに代えて、図１１（ｂ）に示すように構成してもよい。すなわち、このパンチミットは、図１１（ａ）に示したものとは異なり、衝撃先受面に高弾性発泡材１４Ｂを配置すると共に、中心部に高密度発泡材１４Ａを配置し、更に裏面側にて高弾性発泡材１４Ｂを配置した構成となっている。このパンチミットは、打ち込んだ打撃に対して直ちに反発作用が生じるため、例えば、軽い打撃を素早い動作で多数回繰り出す練習に適する。具体的には、衝撃先受面の高弾性発泡材１４Ｂを５〜３０ｍｍ厚として、中心部の高密度発泡材１４Ａを１０〜２０ｍｍ程度とし、裏面側の高弾性発泡材１４Ｂを５〜３０ｍｍ厚程度とすることが好ましい。
【００５７】
〈第４実施形態〉
図１２は、本発明の第４実施形態に係るスポーツ用のグローブ（武道用具）を示す平面図、図１３は、第３実施形態のグローブの側面図である。図１２及び図１３に示すグローブは、競技者の手に嵌められて着用されるグローブ本体（用具本体）１５を備え、グローブ本体全体が競技者の手が嵌まる手袋状に整えられ、グローブ本体１５における手の甲の側に衝撃緩和材１６を充填した構成としている。第４実施形態のグローブのグローブ本体１５は、人工皮革材料あるいは天然皮革材料などの柔軟性のある表皮材１５ａを用いて、競技者の拳の大きさ・形で滑らかに仕上げられている。
【００５８】
競技者が第４実施形態のグローブを使って試合や練習を行う場合、競技者の手をグローブ本体１５の内に嵌め込んで装着して握り締めて拳をつくり、対戦相手の競技相手へグローブを繰り出す。グローブが競技相手に当たって生じる打撃に伴う衝撃は、衝撃緩和材１６で吸収されて和らげられるので、強打を繰り出した競技者も拳や手首を痛めずに済み、強打された競技相手も損傷を避けることができると同時に、試合や練習を安全に行える。
【００５９】
次に、第４実施形態のグローブにおける構成上の特徴である衝撃緩和材１６について、図面を参照しながら具体的に説明する。図１４は、衝撃緩和材１６の層構造を示す説明図である。
【００６０】
すなわち、第４実施形態のグローブは、図１４に示すように、グローブ本体１５に充填する衝撃緩和材１６を、高密度発泡材１６Ａと、高密度発泡材１６Ａにおける衝撃先受面である表側面に重ねて配置した高弾性発泡材１６Ｂとを有する二層構造としている。衝撃緩和材１６の場合、グローブ本体１５の手の甲の殆ど全体が高密度発泡材１６Ａと高弾性発泡材１６Ｂの両方で二重に覆われるように、高密度発泡材１６Ａと高弾性発泡材１６Ｂを充填する。高密度発泡材１６Ａと高弾性発泡材１６Ｂの間は、接着剤などで接着してある。
【００６１】
衝撃緩和材１６の場合、高密度発泡材１６Ａは厚みが２０〜４５ｍｍであり、衝撃先受面の側の高弾性発泡材１６Ｂは厚みが５〜１５ｍｍである。この場合、高密度発泡材１６Ａおよび高弾性発泡材１６Ｂの厚みが、拳あるいは脚による打撃の衝撃を和らげるのに適しているので、第４実施形態のグローブは、ボクシングや空手あるいはテコンドー等のように、競技者が拳あるいは脚で相手の身体に向けて打撃を繰り出す武道に好適である。また、高密度発泡材１６Ａとしては、第１実施形態で挙げたメモリーフォームが例示され、高弾性発泡材１６Ｂは第１実施形態で挙げたピタフォームが例示される。
【００６２】
上記の構成とした衝撃緩和材１６の場合、第１実施形態におけると同様、打撃に伴う衝撃が高弾性発泡材１６Ｂを素通りするのを抑える一方、高密度発泡材１６Ａに衝撃を広域的に伝え、高密度発泡材１６Ａと高弾性発泡材１６Ｂが協働して強打による衝撃をも十分に吸収して弱めることができる。その結果、第４実施形態のグローブによれば、衝撃緩和材１６を分厚くしてグローブ本体１５を嵩高いものにせずとも、打撃に伴う衝撃に対して必要な衝撃緩和機能を確実に発揮することができる。よって、第４実施形態のグローブは、グローブ本体１５がスリムで軽量感のある軽快なものとなる。
【００６３】
【実施例】
第４実施形態のグローブに係る具体的な実施例Ａを説明する。以下の実施例では、高密度発泡材１６Ａとして厚みを約５ｍｍとしたグレードの違う前掲のメモリフォーム３Ａ１，３Ａ３と、下記のメモリフォーム３Ａ４を併用した。高弾性発泡材１６Ｂは、厚みを約５ｍｍとしたピタフォーム３Ｂ１を用いた。表皮材１５ａには、人工皮革（ソフリナ）を用いた。
【００６４】
（Ａ）メモリフォーム３Ａ４
（１）    密度０．０９６  ｇ／ｃｍ      試験法ＡＳＴＭ  Ｄ−３５７５
（２）    ボールリバウンド率１０％（ボール重量２８６  ｇ  落下高さ５０．８ｃｍ）
（３）    圧縮〜歪    圧縮率２５％  ０．０５３  ｋｇ／ｃｍ２      試験法ＡＳＴＭ  Ｄ−３５７４
圧縮〜歪  圧縮率５０％  ０．０７０  ｋｇ  ／ｃｍ２    試験法ＡＳＴＭ  Ｄ−３５７４
（４）    圧縮永久歪  ０％  試験法ＡＳＴＭ  Ｄ−１５６４
（５）    引張り強度  ０．９８ｋｇ／ｃｍ２  試験法ＡＳＴＭ  Ｄ−４１２
（６）    圧縮クリープ  ０％  ２ｐｓｉｗ  荷重１０００ｈｒｓ  室温
（７）    伸度    ２１０％  試験法ＡＳＴＭ  Ｄ−４１２
（８）    引裂き強度    ０．２５ｋｇ／ｃｍ２    試験法ＡＳＴＭ  Ｄ−４１２
（９）    回復速度  ２分  ２ｈｒ  １２７℃（荷重無し）
（１０）  硬さ  非常に柔らか
（実施例Ａ）
実施例Ａのグローブは、図１６に示すように、メモリフォーム３Ａ１，３Ａ３，３Ａ４とピタフォーム３Ｂ１を積層した衝撃緩和材１６を有する。実施例Ａのグローブの衝撃緩和材１６の衝撃緩和機能を確認する為に、メモリフォーム３Ａ１，３Ａ３，３Ａ４とピタフォーム３Ｂ１を、図１６に示す積層形態で重ねた長さ１３０ｍｍ・幅９０の積層試験片について、動的圧縮試験を行った。試験方法は、ＪＩＳ  Ｚ  ０２３５に準じて、試験機は垂直落下形とし、５．８ｋｇの重錘を６０ｃｍの高さから落下させた時の加速度・作用時間を測定した。測定は５分の時間間隔で２回行った。また、比較例として、市販のグローブ（ウイニング社製。商品名：ＭＳ−５００）の厚み４５ｍｍの衝撃緩和材についても同様の測定を行った。測定結果を、表２に示す。
【００６５】
【表２】
2004321209.tif 000004
表２より、実施例Ａと比較例のデータを比較すれば、メモリフォーム３Ａ１，３Ａ３，３Ａ４を使用している実施例Ａの衝撃緩和材１６は、加速度が比較例の半分以下であり、衝撃緩和機能が向上したことが理解できる。
【００６６】
〔別実施の形態〕
（１）上記各実施形態の場合、衝撃緩和材を構成する高密度発泡材としてウレタン発泡材系のメモリーフォーム、高弾性発泡材としてピタフォームを用いた例を示したが、その他、ボールリバウンド率の低いＥＧＲ（例えば、（株）イノアックコーポレーション製）材であってもよく、又、高衝撃吸収性を有し、ボールリバウンド率の低いものであればウレタン系の材料に限られない。特に、ＥＧＲは低温でも硬くなり難いので、寒冷地での使用に適している。もっとも、上記メモリーフォームのような高密度発泡材も、練習中あるいは試合中では人体側に密接して装着され体温の熱伝達を受けることになるので、低温による支障は生じ難くなる。
【００６７】
（２）第１実施形態の場合、ギヤ本体１の途切れ目を帯状ピースで接続した構成としたが、ギヤ本体１の途切れ目を帯状ピースで接続せずに途切れ目のあるままの構成とした他は、第１実施形態と同様のヘッドギヤが、別実施の形態として挙げられる。
【００６８】
（３）図１２〜１４で示した第４実施形態のグローブの変形例として、各指毎に保護する手袋状のグローブとしても使用できる。更に、各指の先が露出した、いわゆるオープンフィンガーグローブにも使用できる。いずれのタイプも、本願発明の構成によれば衝撃吸収力が大きく軽量化が可能になるものである。
【図面の簡単な説明】
【図１】第１実施形態に係るヘッドギアを示す斜視図
【図２】第１実施形態のギヤ本体の正面部分の内部構造を示す断面図
【図３】第１実施形態の衝撃緩和材の層構造を示す説明図
【図４】第２実施形態に係るヘッドギアを示す斜視図
【図５】第２実施形態に係るヘッドギアを示す側面図
【図６】第２実施形態に係るヘッドギアを示す正面図
【図７】第２実施形態の衝撃緩和材の層構造を示す説明図
【図８】第３実施形態に係るパンチミットを示す平面図
【図９】第３実施形態のパンチミットの側面図
【図１０】第３実施形態の衝撃緩和材を示す平面図
【図１１】（ａ）第３実施形態の衝撃緩和材の層構造を示す説明図、（ｂ）（ａ）の変形例を示す説明図
【図１２】第４実施形態に係るグローブを示す平面図
【図１３】第４実施形態に係るグローブの側面図
【図１４】第４実施形態の衝撃緩和材の層構造を示す説明図
【図１５】第１実施形態に係るヘッドギヤの実施例の衝撃緩和材の層構成を示す説明図
【図１６】第４実施形態に係るグローブの実施例の衝撃緩和材の層構成を示す説明図
【符号の説明】
１，７                      ギヤ本体
２，８                      開口部
３，９，１４，１６          衝撃緩和材
３Ａ，９Ａ，１４Ａ，１６Ａ  高密度発泡材
３Ｂ，９Ｂ，１４Ｂ，１６Ｂ  高弾性発泡材
１０                        薄手の剛性材
１１                        ミット本体
１２                        受け部
１３                        手袋部
１５                        グローブ本体
【図１】
2004321209.tif 000005
【図２】
2004321209.tif 000006
【図３】
2004321209.tif 000007
【図４】
2004321209.tif 000008
【図５】
2004321209.tif 000009
【図６】
2004321209.tif 000010
【図７】
2004321209.tif 000011
【図８】
2004321209.tif 000012
【図９】
2004321209.tif 000013
【図１０】
2004321209.tif 000014
【図１１】
2004321209.tif 000015
【図１２】
2004321209.tif 000016
【図１３】
2004321209.tif 000017
【図１４】
2004321209.tif 000018
【図１５】
2004321209.tif 000019
【図１６】
2004321209.tif 000020